(57)【要約】  本発明は、手を挿抜可能な手挿入部が形成された本体と、高圧空気流を発生する高圧空気流発生装置と、高圧空気流発生装置により生成された高圧空気流を手挿入部に向けて噴出させるノズルと、高圧空気流発生装置への空気通風路に設けられて埃や異物の侵入を防止する第１のエアフィルタ１１と、第１のエアフィルタよりも上流側に設けられ、第１のエアフィルタよりも目が細かい第２のエアフィルタ１２と、を有し、第２のエアフィルタは着脱可能とされ、第１のエアフィルタは取り外しが困難とされている。
2010119536.tif 000002
【特許請求の範囲】
【請求項１】
手を挿抜可能な手挿入部が形成された本体と、
高圧空気流を発生する高圧空気流発生装置と、
前記高圧空気流発生装置により生成された高圧空気流を前記手挿入部に向けて噴出させるノズルと、
前記高圧空気流発生装置への空気通風路に設けられて埃や異物の侵入を防止する第１のエアフィルタと、
前記第１のエアフィルタよりも上流側に設けられ、前記第１のエアフィルタよりも目が細かい第２のエアフィルタと、を有し、
前記第２のエアフィルタは着脱可能で、前記第１のエアフィルタは取り外しが困難とされていることを特徴とする手乾燥装置。
【請求項２】
前記第１のエアフィルタは、ネジ固定により取り外しが困難とされていることを特徴とする請求項１に記載の手乾燥装置。
【請求項３】
前記第２のエアフィルタよりも上流側に設けられ、前記第２のエアフィルタよりも目の粗い第３のエアフィルタをさらに有することを特徴とする請求項１に記載の手乾燥装置。
【請求項４】
前記本体には、前記空気通風路への外気の入口である外気取入れ口が形成され、
前記外気取入れ口に設けられて、前記第２のエアフィルタまたは前記第３のエアフィルタを覆い隠すグリルをさらに有することを特徴とする請求項１〜３のいずれか１つに記載の手乾燥装置。
【請求項５】
前記第２のエアフィルタまたは第３のエアフィルタには、前記グリルに接触して前記第２のエアフィルタまたは前記第３のエアフィルタの位置決めを行う位置決め部が形成されていることを特徴とする請求項４に記載の手乾燥装置。
【請求項６】
手を挿抜可能な手挿入部が形成された本体と、
高圧空気流を発生する高圧空気流発生装置と、
前記高圧空気流発生装置により生成された高圧空気流を前記手挿入部に向けて噴出させるノズルと、
前記本体とは別ユニットで前記本体の前記高圧空気流発生装置への空気通風路に接続して設けられた通風ユニットの空気通風路に設けられて埃や異物の侵入を防止する第１のエアフィルタと、
前記第１のエアフィルタよりも上流側に設けられ、前記第１のエアフィルタよりも目が細かい第２のエアフィルタと、を有し、
前記第２のエアフィルタは着脱可能で、前記第１のエアフィルタは取り外しが困難とされていることを特徴とする手乾燥装置。
【請求項７】
前記第２のエアフィルタよりも上流側に設けられ、前記第２のエアフィルタよりも目の粗い第３のエアフィルタをさらに有することを特徴とする請求項１に記載の手乾燥装置。
【請求項８】
前記通風ユニットには、前記空気通風路への外気の入口である外気取入れ口が形成され、
前記外気取入れ口に設けられて、前記第２のエアフィルタまたは前記第３のエアフィルタを覆い隠すグリルをさらに有することを特徴とする請求項６または７に記載の手乾燥装置。
【請求項９】
前記第２のエアフィルタまたは第３のエアフィルタには、前記グリルに接触して前記第２のエアフィルタまたは前記第３のエアフィルタの位置決めを行う位置決め部が形成されていることを特徴とする請求項８に記載の手乾燥装置。
【発明の詳細な説明】
【技術分野】
【０００１】
本発明は、洗浄後の濡れた手を衛生的に乾燥させるための手乾燥装置に関する。
【背景技術】
【０００２】
従来、洗浄後の濡れた手を乾燥させる装置として、高速空気流により手に付着した水滴を吹き飛ばし乾燥させる手乾燥装置がある。この装置は、処理空間としての手挿入部が箱体に凹状形態に設けられ、手挿入部にはエアーノズルが配設されている。エアーノズルには高圧空気流発生装置に接続された吸気風路が繋がれ、手挿入部内に高速空気流を噴出し、手の乾燥処理を行う。【０００３】
高速空気流で手を乾燥する手乾燥装置では、高圧空気流発生装置保護の観点から、高圧空気流発生装置に吸込まれる空気から塵埃を除去するエアフィルタが必ず必要とされる。吸気風路中にエアフィルタとその上流に配置されるプレフィルタとを設ける技術が、例えば特許文献１に開示されている。しかし、両フィルタが手乾燥装置に着脱可能に設けられているため、取り外したフィルタの付け忘れや、フィルタの盗難により、フィルタが装着されていない状態で運転される場合がある。この場合、空気に含まれる埃等の侵入により手乾燥装置が故障するおそれが生じる。そこで、フィルタの一方を両面テープで固定して取り外しを困難にすることで、フィルタが装着されていない状態で運転されることを防ぐ技術が、例えば特許文献２に開示されている。
【先行技術文献】
【特許文献】
【０００４】
【特許文献１】特開２００６−２８８５８６号公報
【特許文献２】特開２０００−９３３４７号公報
【発明の概要】
【発明が解決しようとする課題】
【０００５】
しかしながら、特許文献２に開示の技術によれば、両面テープで固定されたフィルタの清掃が困難になる。清掃しないまま手乾燥装置の使用を続ければ、埃がフィルタに少しずつ目詰まりし、フィルタが圧損となって手乾燥装置の性能が低下してしまうといった問題が生じる。【０００６】
本発明は、上記に鑑みてなされたものであって、盗難等防止のためにエアフィルタの盗難や付け忘れを防止するとともに、そのエアフィルタの目詰まりを軽減し、性能低下を抑えた手乾燥装置を得ることを目的とする。
【課題を解決するための手段】
【０００７】
上述した課題を解決し、目的を達成するために、本発明は、手を挿抜可能な手挿入部が形成された本体と、高圧空気流を発生する高圧空気流発生装置と、高圧空気流発生装置により生成された高圧空気流を手挿入部に向けて噴出させるノズルと、高圧空気流発生装置への空気通風路に設けられて埃や異物の侵入を防止する第１のエアフィルタと、第１のエアフィルタよりも上流側に設けられ、第１のエアフィルタよりも目が細かい第２のエアフィルタと、を有し、第２のエアフィルタは着脱可能とされ、第１のエアフィルタの取り外は困難とされていることを特徴とする。
【発明の効果】
【０００８】
本発明にかかる手乾燥装置は、第１のエアフィルタが取り外し困難に固定されているので、第２のエアフィルタの紛失や盗難、付け忘れがあったとしても、少なくとも第１のエアフィルタが取り付けられた状態で運転される。したがって、第２のエアフィルタの紛失や盗難、付け忘れがあったとしても、第１のエアフィルタで集塵することで、高圧空気流発生装置に埃や異物が吸込まれるのを抑え、手乾燥装置の故障や性能低下を抑えることができるという効果を奏する。【０００９】
また、本発明に係る手乾燥装置は、第２のエアフィルタが、第１のエアフィルタよりも目が細かいため、第２のエアフィルタでほとんどの埃や異物を除去することができる。したがって、第１のエアフィルタに埃や異物が付着することがほとんどない。第１のエアフィルタの清掃が困難となるものの、長期間使用しても第１のエアフィルタが目詰まりしにくく圧損となりにくいので、手乾燥装置の性能を低下しにくくすることができるという効果を奏する。
【図面の簡単な説明】
【００１０】
【図１】図１は、本実施の形態１に係る手乾燥装置の正面図である。
【図２】図２は、手乾燥装置の横断面図である。
【図３】図３は、外気取入れ口１０の周辺部分を拡大した部分拡大断面図である。
【図４】図４は、本実施の形態１の変形例１に係る手乾燥装置の外気取入れ口部分を拡大した部分拡大断面図である。
【図５】図５は、本発明の実施の形態２に係る手乾燥装置の外気取入れ口部分を拡大した部分拡大断面図である。
【図６】図６は、グリルの正面図である。
【図７】図７は、グリルと第３のエアフィルタの配置を示す部分拡大断面図である。
【図８】図８は、本実施例２の変形例１係る手乾燥装置の外気取入れ口部分を拡大した部分拡大断面図である。
【発明を実施するための形態】
【００１１】
以下に、本発明にかかる手乾燥装置の実施の形態を図面に基づいて詳細に説明する。なお、この実施の形態によりこの発明が限定されるものではない。
【００１２】
実施の形態１．
図１は、本実施の形態１に係る手乾燥装置の正面図である。図２は、手乾燥装置の横断面図である。手乾燥装置２０は、正面に手挿入口を有する外郭をなす本体箱体１内に高圧空気流発生装置２が組み込まれている。高圧空気流発生装置２による高圧空気が手挿入口近傍に送られ、ノズル１９から噴出されることで、手挿入口に続く処理空間としての手挿入部３内に高速の気流が形成される。この高速の気流が、手挿入部３内において、手に付着した水分を吹き飛ばす作動気流となる。本体箱体１は、背面外郭をなすベース４と、正面外郭をなす正面パネル５とを有して構成されている。
【００１３】
手挿入部３は本体箱体１の正面上部に、両側面が開放した手の挿抜可能な開放シンク状の凹状空間として形成されている。手挿入部３において作動気流により吹き飛ばされた水分は、傾斜が付いた水受け部６で回収する。
【００１４】
本体箱体１には、回収された水を貯溜する開放容器構造のドレン容器７が、前後方向への抜き差しにより脱着可能に設けられている。ドレン容器７には取外し可能な蓋８が設けられている。なお、ドレン容器７と蓋８は、耐薬品性のあるＰＰまたはＡＢＳ樹脂で作られ、中性洗剤及びアルコール等を使って洗浄し清掃することができる。また、手挿入部３の表面には、シリコン系もしくはフッ素系等の撥水性コーティング、又は酸化チタン等の親水性を有するコーティング、又は抗菌剤が含浸され、表面への汚れの付着の軽減や細菌の繁殖の低減が図られている。
【００１５】
本体箱体１内には、空気通風路２１が形成される。高圧空気流発生装置２は、ＤＣブラシレスモーターと、これを駆動させる駆動回路及びＤＣブラシレスモーターによって回転するターボファンにより構成されている。高圧空気流発生装置２は、本実施の形態１では空気通風路２１の途中であって、手挿入部３の直下に取付けられている。なお、高圧空気流発生装置２として、通常の整流子モーター又は誘導電動機を用いてもよい。本体箱体１内に形成された吸込口９から高圧空気流発生装置２に空気が吸い込まれる。高圧空気流発生装置２に吸い込まれた空気が、空気通風路部２１を介して手挿入部３に作動気流として吹き出される。外気取入れ口１０は、本体箱体１の下方に設けられて、空気通風路２１に外気を取り入れるための開口である。
【００１６】
図３は、外気取入れ口１０の周辺部分を拡大した部分拡大断面図である。空気通風路部２１内であって、高圧空気流発生装置２よりも上流には、空気を清浄化するフィルタが備えられる。第１のエアフィルタ１１は、空気通風路２１内に固定されている。第１のエアフィルタ１１は固定部１４により、ドライバーなどの背引用工具を用いないと取り外しが困難なネジ締めなどで確実に固定され、外部からの盗難を困難にしている。第１のエアフィルタ１１はＰＰ、ＰＥＴ、ＰＭＭＡなどの材料で作られ、形状は格子状または網目状のメッシュフィルタで、材料には抗菌材が練り込まれている。
【００１７】
第２のエアフィルタ１２は、第１のエアフィルタ１１よりも上流に配置される。第２のエアフィルタ１２は、格子状のメッシュフィルタをプリーツ形状にして集塵効率を高めている。第１のエアフィルタ１１と同様に、メッシュ材料には抗菌剤が練り込まれている。第２のエアフィルタ１２は、外気取入れ口１０の近傍に配置されるため、使用者のアクセスが容易である。また、第１のエアフィルタ１１のようにネジ固定されていないので、第２のエアフィルタ１２は取外し容易で、取り外しての清掃やフィルタの交換が容易である。なお、第１のエアフィルタ１１よりも第２のエアフィルタ１２のほうが、目が細かく集塵性能が高い。
【００１８】
上記で記載の通り、本体箱体１の内部に第１のエアフィルタ１１が第２のエアフィルタ１２よりも取り外し困難に固定されているので、第２のエアフィルタ１２の紛失や盗難、付け忘れがあったとしても、少なくとも第１のエアフィルタ１１が取り付けられた状態で運転される。したがって、第２のエアフィルタ１２の紛失や盗難、付け忘れがあったとしても、第１のエアフィルタ１１で集塵することで、高圧空気流発生装置２に埃や異物が吸込まれるのを抑え、手乾燥装置２０の故障や性能低下を抑えることができる。
【００１９】
また、上流側に設置した第２のエアフィルタ１２は、空気通風路２１内に固定された第１のエアフィルタ１１よりも目が細かく集塵性能が高いため、第２のエアフィルタ１２でほとんどの埃や異物を除去することができる。したがって、第１のエアフィルタ１１に埃や異物が付着することがほとんどない。これにより、第１のエアフィルタ１１がネジ固定されていることで清掃困難となるものの、長期間使用しても第１のエアフィルタ１１が目詰まりしにくいため圧損となりにくく、手乾燥装置２０の性能を低下しにくくすることができる。第２のエアフィルタ１２は、ネジ固定されておらず簡単に着脱できるとともに、外気取入れ口１０の近傍に配置されているので、使用者がフィルタを容易に着脱することができ、フィルタ清掃等のメンテナンスも容易にすることができる。
【００２０】
図４は、本実施の形態１の変形例１に係る手乾燥装置の外気取入れ口部分を拡大した部分拡大断面図である。図４に示すように、本変形例１に係る手乾燥装置２０は、第２のエアフィルタ１２よりもさらに上流側に第３のエアフィルタ１３を備えている。第３のエアフィルタ１３は取外しができ、清掃や交換が容易な構造となっている。材料はＰＰ、ＰＥＴ、ＰＭＭＡなどで作られ、形状はメッシュフィルタで、材料には抗菌材が練り込まれている。
【００２１】
第３のエアフィルタ１３は、第２のエアフィルタ１２よりも目が粗くなっている。第３のエアフィルタ１３は、プレフィルタの役割を果たし、集塵性能の高い第２のエアフィルタ１２を長寿命化させる。この構造により、交換式で使い捨ての高性能フィルタ、例えば集塵性能の高いヘパフィルタ等で第２のエアフィルタ１２を構成した場合に、第２のエアフィルタ１２の交換頻度を下げて、ランニングコストの低減に寄与することができる。
【００２２】
なお、本実施の形態１では、フィルタ１１，１２，１３が設けられる空気通風路２１を本体箱体１に一体に形成したが、これに限られない。例えば、図２に示すドレン容器７よりも下側部分を、別ユニットの通風ユニットとして構成してもよい。通風ユニット内に形成された空気通風路にフィルタを設けることで、本実施の形態１と同様の効果を得ることができる。また、通風ユニット部分の後付けや交換が可能となるので、手乾燥装置の使用実態に合わせて通風ユニットを選択することで、フィルタの安全性を使用実態に合わせることができる。これにより、管理の行き届いた使用環境での過剰な安全性による費用負担の問題を生じにくくすることができる。
【００２３】
実施の形態２．
図５は、本発明の実施の形態２に係る手乾燥装置の外気取入れ口部分を拡大した部分拡大断面図である。実施の形態１と同様の構成部分には同一の符号を付し、重複する説明を省略する。本実施の形態２では、手乾燥装置２０の外気取入れ口１０にグリル１５が取り付けられている。
【００２４】
図６は、グリル１５の正面図である。グリル１５には、複数のスリット孔が形成されており、グリル１５を介して外気取入れ口１０から空気通風路２１に空気を取り込むことができる。グリル１５は、正面から内部構造、特にエアフィルタ１１，１２，１３が見えにくいように、ブラインド状に複数の板を略平行に取り付けたガラリ形状となっている。これにより、エアフィルタ１１，１２，１３が覆い隠されて、その存在が気付かれにくくなり、エアフィルタ１１，１２，１３に対するいたずらを抑制することができる。また、本体内部のエアフィルタ１１，１２，１３を清掃するため、グリル１５は取外し可能な構造となっている。
【００２５】
グリル１５内面にはフランジ部１６があり、外気取り入れ口１０の全周をフランジ部１６が囲う構造としたことにより、本体上部から垂れた水滴が空気通風路２１へ吸込まれエアフィルタ１１，１２，１３や本体箱体１内部へ水滴が付着することを防止する。
【００２６】
図７は、グリル１５と第３のエアフィルタ１３の配置を示す部分拡大断面図である。第３のエアフィルタ１３には突起部１７が形成されている。突起部１７は、第３のエアフィルタ１３を取り外す際の取手として使用する。また、取り外した第３のエアフィルタ１３を再度取り付ける際に、グリル１５の内面と突起部１７が接触し、押圧されて適正な位置に配置される。すなわち、突起部１７は第３のエアフィルタ１３の位置決めをする位置決め部として機能する。第３のエアフィルタ１３が適切な位置に設置されることで、第３のエアフィルタ１３の取り付け不良による内部への埃や異物の侵入を防ぎ、手乾燥装置２０の信頼性の向上に寄与することができる。
【００２７】
図８は、本実施例２の変形例１係る手乾燥装置の外気取入れ口部分を拡大した部分拡大断面図である。図８に示すように、第３のエアフィルタを設けない場合であっても、グリル１５を設けることで、正面から内部構造を見えにくくすることができる。特にエアフィルタ１１，１２が見えにくいように、ブラインド状に複数の板を略平行に取り付けたガラリ形状となっている。これにより、エアフィルタ１１，１２が覆い隠されて、その存在が気付かれにくくなり、エアフィルタ１１，１２に対するいたずらを抑制することができる。
【００２８】
また、最もグリル１５寄りに設けられる第２のエアフィルタ１２に突起部１７を形成することで、突起部１７に位置決め部としての機能を発揮させ、第３のエアフィルタ１３の取り付け不良による内部への埃や異物の侵入を防ぎ、手乾燥装置２０の信頼性の向上に寄与することができる。すなわち、手乾燥装置が備えるエアフィルタの数に関わらず、最もグリル１５寄りに設けられるエアフィルタに突起部を形成することで、同様の効果を得ることができる。
【産業上の利用可能性】
【００２９】
以上のように、本発明にかかる手乾燥装置は、不特定多数の者が使用する場所に設置される手乾燥装置に有用である。
【符号の説明】
【００３０】
１  本体箱体
２  高圧空気流発生装置
３  手挿入部
４  ベース
５  正面パネル
６  水受け部
７  ドレン容器
８  ドレン容器蓋
９  吸込み口
１０  外気取入れ口
１１  第１のエアフィルタ
１２  第２のエアフィルタ
１３  第３のエアフィルタ
１４  固定部
１５  グリル
１６  フランジ部
１７  突起部
２０  手乾燥装置
２１  空気通風路
【図１】
2010119536.tif 000003
【図２】
2010119536.tif 000004
【図３】
2010119536.tif 000005
【図４】
2010119536.tif 000006
【図５】
2010119536.tif 000007
【図６】
2010119536.tif 000008
【図７】
2010119536.tif 000009
【図８】
2010119536.tif 000010
【国際調査報告】
2010119536.tif 000011
2010119536.tif 000012
2010119536.tif 000013
2010119536.tif 000014